(57)【要約】【課題】いかなる蒸気復水装置の要求熱負荷においても軸流送風機の頻繁な稼動、停止の繰り返しを防止することにある。【解決手段】蒸気タービンプラントに設けられる空冷式蒸気復水装置の真空度制御方法において、複数の軸流送風機のうち、所定数の軸流送風機を順次運転した後、前記空冷式蒸気復水装置で検出された実真空度が前記目標真空度に対して設定された上限値及び下限値のいずれかを超過すると、前記実真空度と前記上限値または下限値との差を積分し、その積分値を別途設定された稼動設定値と比較して該積分値が稼動設定値を上回ったときのみ次の軸流送風機を追加稼動または停止させる。【選択図】      図１
2005139963.tif 000002
【特許請求の範囲】
【請求項１】
蒸気タービンプラントに設けられる空冷式蒸気復水装置の真空度を検出し、この真空度と予め設定された目標真空度とをもとに冷却風量制御値を演算し、その演算結果に基づいて複数の軸流送風機の中から優先順位の高い軸流送風機を起動または停止させることにより、冷却空気流量を制御して前記空冷式蒸気復水装置の真空度を制御する真空度制御方法において、
複数の軸流送風機の中から所定数の軸流送風機を順次運転した後、前記空冷式蒸気復水装置で検出された実真空度が前記目標真空度に対して設定された上限値及び下限値のいずれかを超過すると、前記実真空度と前記上限値または下限値との差を積分し、その積分値を別途設定された稼動設定値と比較して該積分値が稼動設定値を上回ったときのみ次の軸流送風機を追加稼動または追加停止させることを特徴とする空冷式蒸気復水装置の真空度制御方法。
【請求項２】
請求項１記載の空冷式蒸気復水装置の真空度制御方法において、積分値が別途設定された稼動設定値を上回ったときのみ、前記実真空度の変化の傾きを評価し、実真空度が前記目標真空度に対して近づこうとしているのか、遠のこうとしているのかを判定し、遠のこうとしている時のみ次の軸流送風機を追加稼動または追加停止させることを特徴とする空冷式蒸気復水装置の真空度制御方法。
【請求項３】
請求項１又は請求項２記載の空冷式蒸気復水装置の真空度制御方法において、積分値は、予め設定された時間経過毎に稼動設定値と比較し、該積分値が稼動設定値を超えないときは前記積分値の演算を継続して行うことを特徴とする空冷式蒸気復水装置の真空度制御方法。
【請求項４】
請求項１又は請求項２記載の空冷式蒸気復水装置の真空度制御方法において、積分値は、予め設定された時間経過毎に稼動設定値と比較し、該積分値が稼動設定値を超えないときは前記演算により求められている積分値をクリアすることを特徴とする空冷式蒸気復水装置の真空度制御方法。
【請求項５】
請求項１又は請求項２の空冷式蒸気復水装置の真空度制御方法において、前記目標真空度に対して設定された上限値及び下限値に加えて、さらに直接稼動上限値及び直接停止下限値を設定し、前記実真空度が前記直接停止上限値または直接稼動下限値を超過すると、直ちに優先順位の高い軸流送風機を停止又は起動させることを特徴とする空冷式蒸気復水装置の真空度制御方法。
【請求項６】
蒸気タービンプラントに設けられる空冷式蒸気復水装置の真空度を検出し、この真空度と予め設定された目標真空度とをもとに冷却風量制御値を演算し、その演算結果に基づいて複数の軸流送風機の中から優先順位の高い軸流送風機を起動または停止させることにより、冷却空気流量を制御して前記空冷式蒸気復水装置の真空度を制御する真空度制御装置において、
前記空冷式蒸気復水装置で検出された実真空度が目標真空度に対して予め設定された上限値及び下限値の範囲内にあるかどうかを判定する第１の判定手段と、この第１の判定手段により実真空度が上、下限値の範囲内になければ、実真空度と上限値又は下限値との差分を積分する演算手段と、この演算手段で求められた積分値と別途に設定された軸冷送風機稼動設定値とを比較し、軸冷送風機の追加稼動又は追加停止の要否を判定する第２の判定手段と、この第２の判定手段により軸冷送風機の追加稼動又は追加停止が必要と判定されると、優先順位の高い軸流送風機に対して追加稼動又は追加停止指令を送出する出力手段とを備えたことを特徴とする空冷式蒸気復水装置の真空度制御装置。
【請求項７】
請求項６記載の空冷式蒸気復水装置の真空度制御装置において、前記演算手段は予め設定された時間稼動パルス信号を送出するタイマを有し、このタイマが起動されると予め設定された時間毎に実真空度と上限値又は下限値との差分を積分することを特徴とする空冷式蒸気復水装置の真空度制御装置。
【発明の詳細な説明】
【技術分野】
【０００１】
本発明は、蒸気タービンプラントに設けられる空冷式蒸気復水装置の真空度制御方法及び装置に関する。
【背景技術】
【０００２】
従来、タービン等からの排気蒸気を凝縮させる空冷式蒸気復水装置において、復水温度、復水圧力を制御するには、図１０に示すような方法が知られている（例えば、特許文献１）。
【０００３】
この制御方法は、図示するようにボイラから蒸気導入管２０を通して蒸気が流入する復水装置２１内の蒸気圧を圧力検出器２２で検出し、その気相圧力Ｐ1と圧力設定値ＳＶＰとの偏差を気相圧力制御器２３でＰＩＤ演算して圧力制御対称機器（軸流送風機）２４を制御することで復水温度、復水圧力を制御するようにしている。
【０００４】
また、復水器２１から復水タンクに復水導入管２５を通して流出する復水の液相圧力を液相圧力検出器２６で検出し、その検出液相圧力Ｐ２と気相圧力Ｐ１との差圧と水位設定値ＳＶＬとの偏差を水位制御器２７でＰＩＤ演算して復水導入管２５に設けられた調節弁２８を制御し水位一定に制御するようにしている。
【０００５】
この空冷式蒸気復水装置は、通常複数台のファン（軸流送風機）２４を並列運転し、その負荷需要(蒸気復水装置の熱負荷)に応じて運転台数を増減する必要がある。
【０００６】
このため、例えば所定の台数の軸流送風機が稼動中、負荷変動により1台または複数台の追加稼動の要求があるときには、その要求数に一致した特定の1台または複数台の軸流送風機が追加稼動される。また、続いて1台または複数台の停止の要求があった場合には、先に追加稼動した軸流送風機が停止するようにしている。
【０００７】
しかし、このような制御方法では、最初に運転を始めた機器ほど運転時間が長くなり、逆に最後に運転(追加稼動)される機器ほど運転時間が短くなるという問題があった。
【０００８】
この問題を解決する制御方法として、最後に運転および停止された軸流送風機に付された番号を記憶する運転カウンタおよび停止カウンタとを備えたシステムおいて、複数の軸流送風機のうち、所定数の機器に対して運転開始または停止をする場合には、運転カウンタまたは停止カウンタに記憶された番号に１を加えた番号が付された機器から当該運転を開始または停止を実施することで、多数の機器を均一に運転させるようにしたものがある（例えば、特許文献２）。
【特許文献１】特開平１０−１８５４５８号公報
【特許文献２】特開２０００−２８３０５１号公報
【発明の開示】
【発明が解決しようとする課題】
【０００９】
しかしながら、上記のような制御は軸流送風機の運転負荷を均一にすることを目的としているため、蒸気復水装置の要求熱負荷によってはやはり任意の軸流送風機がその優先順位に従い頻繁な起動、停止を繰り返し、軸流送風機の起動又は停止台数が常に安定しない事象が発生してしまうことに変りはない。
【００１０】
本発明は、上記の事情に鑑みなされたもので、制御要求値と検出値との差をＰＩＤ演算する際に、比較的簡単な演算処理方法を適用することによって、いかなる蒸気復水装置の要求熱負荷においてもこの軸流送風機の頻繁な稼動、停止の繰り返しを防止できる空冷式復水装置の真空度制御方法及び装置を提供することを目的とする。
【課題を解決するための手段】
【００１１】
本発明は上記の目的を達成するため、次のような方法及び装置により空冷式復水装置の真空度を制御する。
【００１２】
請求項１に対応する発明は、蒸気タービンプラントに設けられる空冷式蒸気復水装置の真空度を検出し、この真空度と予め設定された目標真空度とをもとに冷却風量制御値を演算し、その演算結果に基づいて複数の軸流送風機の中から優先順位の高い軸流送風機を起動または停止させることにより、冷却空気流量を制御して前記空冷式蒸気復水装置の真空度を制御する真空度制御方法において、複数の軸流送風機の中から所定数の軸流送風機を順次運転した後、前記空冷式蒸気復水装置で検出された実真空度が前記目標真空度に対して設定された上限値及び下限値のいずれかを超過すると、前記実真空度と前記上限値または下限値との差を積分し、その積分値を別途設定された稼動設定値と比較して該積分値が稼動設定値を上回ったときのみ次の軸流送風機を追加稼動または追加停止させる。
【００１３】
請求項２に対応する発明は、請求項１に対応する発明の空冷式蒸気復水装置の制御方法において、積分値が別途設定された稼動設定値を上回ったときのみ、前記実真空度の変化の傾きを評価し、実真空度が前記目標真空度に対して近づこうとしているのか、遠のこうとしているのかを判定し、遠のこうとしている時のみ次の軸流送風機を追加稼動または追加停止させる。
【００１４】
請求項３に対応する発明は、請求項１又は請求項２に対応する発明の空冷式蒸気復水装置の真空度制御方法において、積分値は、予め設定された時間経過毎に稼動設定値と比較し、該積分値が稼動設定値を超えないときは前記積分値の演算を継続して行う。
【００１５】
請求項４に対応する発明は、請求項１又は請求項２に対応する発明の空冷式蒸気復水装置の真空度制御方法において、積分値は、予め設定された時間経過毎に稼動設定値と比較し、該積分値が稼動設定値を超えないときは前記演算により求められている積分値をクリアする。
【００１６】
請求項５に対応する発明は、請求項１又は請求項２に対応する発明の空冷式蒸気復水装置の真空度制御方法において、前記目標真空度に対して設定された上限値及び下限値に加えて、さらに直接稼動上限値及び直接停止下限値を設定し、前記実真空度が前記直接停止上限値または直接稼動下限値を超過すると、直ちに優先順位の高い軸流送風機を停止又は起動させる。
【００１７】
請求項６に対応する発明は、蒸気タービンプラントに設けられる空冷式蒸気復水装置の真空度を検出し、この真空度と予め設定された目標真空度とをもとに冷却風量制御値を演算し、その演算結果に基づいて複数の軸流送風機の中から優先順位の高い軸流送風機を起動または停止させることにより、冷却空気流量を制御して前記空冷式蒸気復水装置の真空度を制御する真空度制御装置において、前記空冷式蒸気復水装置で検出された実真空度が目標真空度に対して予め設定された上限値及び下限値の範囲内にあるかどうかを判定する第１の判定手段と、この第１の判定手段により実真空度が上、下限値の範囲内になければ、実真空度と上限値又は下限値との差分を積分する演算手段と、この演算手段で求められた積分値と別途に設定された軸冷送風機稼動設定値とを比較し、軸冷送風機の追加稼動又は追加停止の要否を判定する第２の判定手段と、この第２の判定手段により軸冷送風機の追加稼動又は追加停止が必要と判定されると、優先順位の高い軸流送風機に対して追加稼動又は追加停止指令を送出する出力手段とを備える。
【００１８】
請求項７に対応する発明は、請求項６に対応する発明の空冷式蒸気復水装置の真空度制御装置において、前記演算手段は予め設定された時間稼動パルス信号を送出するタイマを有し、このタイマが起動されると予め設定された時間毎に実真空度と上限値又は下限値との差分を積分する。
【発明の効果】
【００１９】
本発明によれば、制御要求値と検出値との差をＰＩＤ演算する際に、比較的簡単な演算処理方法を適用することで、いかなる蒸気復水装置の要求熱負荷においてもこの軸流送風機の頻繁な稼動、停止の繰り返しを防止することができる。
【発明を実施するための最良の形態】
【００２０】
以下本発明の実施形態を図面を参照して説明する。
【００２１】
図１は本発明の空冷式蒸気復水装置全体の一例を示す構成図である。
【００２２】
図１に示すように、蒸気発生装置１から主蒸気管２を通して蒸気タービン３に送られた蒸気は、発電機４を回転駆動する仕事を終えた後、排気連絡管５を通して上部ヘッダー６に流れ、複数の蒸気復水装置管束７に導かれる。
【００２３】
これら蒸気復水装置管束７は、屋根型構造に組み込まれ、その下方に設置されている図示しない架台にそれぞれ取付けられた複数台の軸流送風機８により冷却媒体である空気が管束７へ向けて送り込まれるようになっている。
【００２４】
上記各管束７を流れる蒸気は、軸流送風機８から送り込まれた冷却空気によりその潜熱が奪われて凝縮し、水となって下部ヘッダー９に流れ込んだ後、集合管１０を通って復水タンク１１へ導かれる。この復水タンク１１ヘ捕集された復水は、復水ポンプ１２により再び蒸気発生装置１に送られる。
【００２５】
一方、排気連絡管５には真空度検出器１３が設けられ、この真空度検出器１３で検出された真空度検出信号は増幅器１４を介して軸流送風機運転制御装置１５に入力される。この軸流送風機運転制御装置１５は、上記真空度検出信号と制御対象の真空度を設定する真空度設定器１６の出力信号とをもとに冷却風量制御値を演算するもので、その演算結果に基づいて優先順位の高い軸流送風機８に起動または停止信号を与えることで、冷却空気流量を制御し、蒸気復水装置の真空度を制御する。
【００２６】
ここで、上記真空度設定器１６は、目標真空度Ｐｓｔの設定と、この設定値に対してある係数を設けて真空度の上限値ＰＬと真空度の下限値ＰＨを設定し、さらに軸流送風機稼動設定値ＳＺを設定するものである。なお、真空度は１気圧から復水装置内の圧力を差し引いた値であるため、実際の復水装置内の圧力で考える場合、真空度が高いほど圧力が低く、逆に真空度が低いほど圧力が高くなることを示している。また、以下の説明においては、特に記さない限り単に真空度として述べる。
【００２７】
また、上記軸流送風機運転制御装置１５は、真空度検出器１３で検出された実真空度Ｐ０が目標真空度Ｐｓｔに対する上限値ＰＬ、下限値ＰＨの範囲内にあるかどうかを判定する第１の判定手段と、この第１の判定手段により実真空度Ｐ０が上、下限値の範囲内でないと判定されると起動して稼動パルス信号を送出するタイマを有し且つこのタイマの起動により予め設定された時間毎に実真空度と上限値又は下限値との差分を積分する演算手段と、この演算手段で求められた積分値Ｓと軸冷送風機稼動設定値ＳＺとを比較し、軸冷送風機の追加稼動又は追加停止の要否を判定する第２の判定手段と、この第２の判定手段により軸冷送風機の追加稼動又は追加停止が必要と判定されると、優先順位の高い軸流送風機に対して追加稼動又は追加停止指令を送出する出力手段とを備えている。
【００２８】
次にこのように構成された空冷式蒸気復水装置の真空度制御装置の作用を図２及び図３により説明する。
【００２９】
図２は本発明による空冷式蒸気復水装置の真空度制御方法を説明するための第１の実施形態を示すグラフである。なお、図２のグラフにおいて縦軸は圧力であり、上方がより圧力の高い状態を示す。つまり真空度で考えると、下方がより真空度が高い状態を表している。
【００３０】
図２に示すように目標真空度Ｐｓｔを設定した場合、この設定値に対してある係数を設けることで真空度の上限値ＰＬ、真空度の下限値ＰＨを設定する。ここでは、例として目標真空度Ｐｓｔに相当する圧力の１．１倍の圧力を真空度の下限値ＰＨ、目標真空度Ｐｓｔに相当する圧力の０．９倍の圧力を真空度の上限値ＰＬとして設定するが、空冷式蒸気復水装置の設置地域、適用軸流送風機の仕様によって変更することも可能である。さらに、軸流送風機稼動設定値ＳＺ（ここでは、例として1MPa・sとして設定）を設ける。
【００３１】
また、前述したように極端な連続作動を回避するため、タイマに稼動指令パルス信号の出力時間（ここでは例として60秒）を設定する。
【００３２】
まず、プラント負荷上昇時の処理を図３に示すフローチャートを参照しながら説明する。
【００３３】
いま、真空度検出器１３で検出された実真空度が増幅器１４により信号処理に必要なレベルに変換され、その出力信号が軸流送風機運転制御装置１５に入力されているものとする。このとき、実真空度Ｐ０が下限値ＰＨと上限値ＰＬの間にあれば、その時点で運転状態にある軸流送風機以外の軸流送風機が追加稼動又は追加停止することはない。
【００３４】
このような状態でプラント負荷が低下し、目標真空度Ｐｓｔを保持しようとする場合、蒸気復水装置の熱負荷の低下により真空度が低下すると、積分演算手段により求められる積分値Ｓをリセット（ＳＴ１）した後、第１の判定手段により実真空度Ｐ０が上限値ＰＬを上回ったことを判定する（ＳＴ２）。
【００３５】
この判定と同時にタイマＴが起動し（ＳＴ３）、実真空度Ｐ０が上限値ＰＬを上回っていることを条件（ＳＴ４）に、演算手段により実真空度Ｐ０と上限設定値ＰＬとの差分（Ｐ０−ＰＬ）の積分演算を開始する（ＳＴ５）。
【００３６】
そして、タイマが起動されてから設定時間、つまり起動指令パルス信号間隔（ここでは、60秒）の設定時間Ｔlimに達する（ＳＴ６）毎に、第２の判定手段により積分演算による積分値Ｓが軸流送風機稼動設定値ＳＺ（1MPa・s）を超えているか否かを判定し（ＳＴ７）、Ｓ＞ＳＺであれば１台の軸流送風機が追加停止する（ＳＴ８）。
【００３７】
逆に、Ｓ＞ＳＺでなければ、再度ＳＴ４に戻って実真空度Ｐ０が上限値ＰＬを上回っているか否かを判定し、ここでＰ０＞ＰＬであれば積分演算を継続し、Ｐ０＞ＰＬでなければＳＴ１に戻って積分値Ｓをリセットする。
【００３８】
即ち、積分演算により求められる積分値Ｓが起動指令パルス信号間隔（60秒）以内に軸流送風機稼動設定値ＳＺに達しない場合は、次の軸流送風機は追加停止されず現行の稼動台数を保ったまま、継続して実真空度Ｐ０と上限設定値ＰＬとの差を積分し続け、これ以降の起動指令パルス信号を受信する度に積分値Ｓと軸冷送風機稼動設定値ＳＺとを比較し、軸冷送風機の追加停止の要否を判定する。
【００３９】
このように軸流送風機は実真空度が設定値Ｐｓｔの上限値ＰＬを下回るまで優先順位の高い順に停止し続け、蒸気復水装置の冷却能力が熱負荷を下回り、実真空度Ｐ０が上限設定値ＰＬを下回った時点でこの積分値Ｓ及びタイマＴはリセットされ、Ｓ＝０，Ｔ＝０となる。
【００４０】
以上はプラント負荷が低下し、実真空度が設定値Ｐｓｔの上限値ＰＬを上回っている場合の作用であるが、これとは逆に蒸気復水装置の熱負荷の上昇により実真空度が低下し、実真空度Ｐ０が設定値Ｐｓｔの下限値ＰＨを下回っている場合には図４に示すフローチャートのようになる。
【００４１】
蒸気復水装置の熱負荷の上昇により真空度が低下すると、積分演算手段により求められる積分値Ｓをリセット（ＳＴ１１）した後、第１の判定手段により実真空度Ｐ０が下限値ＰＨを下回ったことを判定する（ＳＴ１２）。
【００４２】
この判定と同時にタイマＴが起動し（ＳＴ１３）、実真空度Ｐ０が下限値ＰＨを下回っていることを条件（ＳＴ１４）に、演算手段により実真空度Ｐ０と下限設定値ＰＨとの差分（ＰＨ−Ｐ０）の積分演算を開始する（ＳＴ１５）。
【００４３】
そして、タイマが起動されてから設定時間、つまり起動指令パルス信号間隔（ここでは、60秒）の設定時間Ｔlimに達する（ＳＴ１６）毎に、第２の判定手段により積分演算による積分値Ｓが軸流送風機稼動設定値ＳＺ（1MPa・s）を超えているか否かを判定し（ＳＴ１７）、Ｓ＞ＳＺであれば１台の軸流送風機が追加稼動する（ＳＴ１８）。
【００４４】
逆に、Ｓ＞ＳＺでなければ、再度ＳＴ１４に戻って実真空度Ｐ０が下限値ＰＨを下回っているか否かを判定し、ここでＰ０＜ＰＨであれば積分演算を継続し、Ｐ０＜ＰＨでなければＳＴ１１に戻って積分値Ｓをリセットする。
【００４５】
即ち、積分演算により求められる積分値Ｓが起動指令パルス信号間隔（60秒）以内に軸流送風機稼動設定値ＳＺに達しない場合は、次の軸流送風機は追加稼動されず現行の稼動台数を保ったまま、継続して実真空度Ｐ０と下限設定値ＰＬとの差を積分し続け、これ以降の起動指令パルス信号を受信する度に積分値Ｓと軸冷送風機稼動設定値ＳＺとを比較し、軸冷送風機の追加稼動の要否を判定する。
【００４６】
そして、積分値Ｓが起動指令パルス信号間隔（60秒）以内に軸流送風機稼動設定値ＳＺを超えたと判定すると、この軸流送風機稼動設定値ＳＺを超えた時点で優先順位の高い軸流送風機を起動する。また、この積分値が起動指令パルス信号間隔(６０秒)以内で軸流送風機稼動設定値ＳＺに達しない場合は、次の軸流送風機は起動されることなく、現行の稼動台数を保ったまま、演算手段で積分演算を継続してＰ０と下限値ＰＨとの差を積分し続け、これ以降の起動指令パルス信号を受信する度に積分値Ｓと軸冷送風機稼動設定値ＳＺとを比較し、起動優先順位の高い軸冷送風機の起動の要否を判定する。
【００４７】
このように軸流送風機は実真空度Ｐ０が設定値Ｐｓｔの下限値ＰＨを上回るまで起動し続け、蒸気復水装置の冷却能力が熱負荷を上回り、実真空度Ｐ０が下限設定値ＰＨを上回った時点でこの積分値ＳとタイマＴはリセットされ、Ｓ＝０，Ｔ＝０となる。
【００４８】
本実施形態によれば、上述のように一つの真空度制御設定値に対して常に一定の幅を持った制御バンドを持たせることが可能となるため、軸流送風機に頻繁な稼動、停止の繰り返し負荷をかけることなく、かつ安定した要求真空度を得ることができる。
【００４９】
また、タイマ起動後の積分値Ｓを設定時間Ｔlim毎に判定するようにしているので、軸冷送風機の追加停止や追加起動を行うタイミングをＴlimの設定値により調整することができ、運転環境（外気温、プラント出力など）の変動の時定数に合わせて運用することができる。
【００５０】
図５は本発明による空冷式蒸気復水装置の真空制御方法を説明するための第２の実施形態を示すグラフである。
【００５１】
第２の実施形態では、第１の実施形態において積分値算出時点での真空度変化曲線の傾きを算出するものであり、第１の実施形態と同一の構成には同一の符号を付し、重複する説明は省略する。
【００５２】
本実施形態の動作としては、稼動指令パルス信号を受信する度に積分値Ｓと軸冷送風機稼動設定値ＳＺとを比較するとともに、真空度変化曲線の傾きを算出し、実真空度Ｐ０が上限値ＰＬを上回っていた場合、真空度変化曲線の傾きが正のとき（図５における右肩下がりのとき）には次の軸冷送風機の追加停止を実施する。逆に真空度変化曲線の傾きが負のとき（図５における右肩上がりのとき）には追加停止を実施しない。
【００５３】
図６はプラント負荷が低下し、実真空度が設定値Ｐｓｔの上限値ＰＬを上回っているか否かを処理するフローチャートで、図３と同一ステップには同一符号を付してその説明を省略し、ここでは異なる点について述べる。
【００５４】
図６において、積分演算による積分値Ｓが軸流送風機稼動設定値ＳＺ（1MPa・s）を超えているか否かを判定し（ＳＴ７）、Ｓ＞ＳＺであればその真空度変化曲線の傾きdp0/dtを求めてその真空度変化曲線の傾きdp0/dtが正であるか否かを判定するステップ（ＳＴ９）を設け、dp0/dt＞０のとき軸流送風機１台追加停止し、dp0/dt＞０でなければＳＴ４に戻って実真空度Ｐ０が上限値ＰＬを上回っているか否かを判定し、ここでＰ０＞ＰＬであれば積分演算を継続し、Ｐ０＞ＰＬでなければＳＴ１に戻って積分値Ｓをリセットする。
【００５５】
これとは逆に蒸気復水装置の熱負荷の上昇により実真空度が低下し、実真空度Ｐ０が設定値Ｐｓｔの下限値ＰＨを下回っている場合には、真空度変化曲線の傾きが正のとき（図５における右肩下がりのとき）には次の軸冷送風機の起動は実施せず、また真空度変化曲線の傾きが負のとき（図５における右肩上がりのとき）には軸冷送風機の起動を実施する。
【００５６】
図７はこの場合のフローチャートで、図４と同一ステップには同一符号を付してその説明を省略し、ここでは異なる点について述べる。
【００５７】
図７において、積分演算による積分値Ｓが軸流送風機稼動設定値ＳＺ（1MPa・s）を超えているか否かを判定し（ＳＴ１７）、Ｓ＞ＳＺであればその真空度変化曲線の傾きdp0/dtを求めてその真空度変化曲線の傾きdp0/dtが負あるか否かを判定するステップ（ＳＴ１９）を設け、dp0/dt＜０のとき軸流送風機１台追加稼動し、dp0/dt＜０でなければＳＴ１４に戻って実真空度Ｐ０が下限値ＰＨを上回っているか否かを判定し、ここでＰ０＜ＰＨであれば積分演算を継続し、Ｐ０＜ＰＨでなければＳＴ１１に戻って積分値Ｓをリセットする。
【００５８】
本実施形態によれば、実真空度Ｐ０が設定値Ｐｓｔに対して近づこうとしているのか、遠のこうとしているのかを常に監視しているため、第１の実施形態よりもさらに安定した要求真空度をより早く得ることができる。
【００５９】
図８は本発明による空冷式蒸気復水装置の真空度制御方法を説明するための第３の実施形態を示すフローチャートである。
【００６０】
上述した第１の実施形態及び第２の実施形態では、タイマ起動後の積分値Ｓが設定時間Ｔlim毎に軸流送風機稼動設定値ＳＺを超えているかどうかを判定し、超えていないときは継続して積分演算を実施するようにしたが、第３の実施形態ではタイマ起動後の積分値Ｓが設定時間Ｔlim毎に軸流送風機稼動設定値ＳＺを超えているかどうかを判定し、超えていないときは積分値をリセットして再度判定をし直すようにするものである。
【００６１】
図８はかかる判定処理をプラント負荷低下時に対応させて示すものであり、図３と異なる点は、ステップＳＴ６´において、Ｔ＞Ｔlimと判定され、ステップＳＴ７でＳ＞Ｓｚでないと判定されると、ステップＳＴ１に戻り、積分値Ｓをリセットして一連の処理を実行するようにしている。
【００６２】
このような処理を行うことにより、排気連絡管の蒸気圧力が閾値近傍で安定している場合などでも追加停止を行われないため、軸流送風機の追加停止の回数がより少なくなり、軸流送風機の運転台数を安定にすることができる。
【００６３】
図８に示すフローチャートは、実真空度Ｐ０と上限設定値ＰＬとを比較して軸流送風機を追加停止するかどうかを判定する場合であるが、図４に示すように実真空度Ｐ０と下限設定値ＰＨとを比較して軸流送風機を追加稼動するかどうかを判定する場合も図８と同様の判定処理を行うことができる。また、第２の実施形態で示した図６及び図７のフローチャートのように真空度変化曲線の傾きdp0/dtにより、実真空度Ｐ０が設定値Ｐｓｔに対して近づこうとしているか遠のこうとしているのかを判定する場合にも図８と同様の判定処理を行うことができる。
【００６４】
図９は本発明による空冷式蒸気復水装置の真空制御方法を説明するための第４の実施形態を示すグラフである。
【００６５】
第４の実施形態では、第１の実施形態にさらに直接稼動下限値ＰＨＨおよび直接停止上限値ＰＬＬを設けたもの（ここでは、例としてとして目標値Ｐｓｔの１．５倍の圧力に相当する真空度を直接稼動下限値ＰＨＨ、目標値Ｐｓｔに相当する圧力の０．５倍の圧力に相当する真空度を直接停止上限値ＰＬＬとして設定する）であり、第１の実施形態と同一部分には同一符号を付し、重複する説明は省略する。
【００６６】
この直接稼動下限値ＰＨＨおよび直接停止上限値ＰＬＬを設けることにより、タービンバイパス運転等のような急激に蒸気復水装置の熱負荷が上昇するような状況では、第１の実施形態による真空度制御では真空度制御設定値に対する一定の幅を持った制御バンドまでの回復を図ることが困難となるため、この直接稼動下限値ＰＨＨおよび直接停止上限値ＰＬＬを超過した場合は、直ちに優先順位の高い軸流送風機を起動または停止させることにより、目標真空度への早期回復を図ることができる。
【図面の簡単な説明】
【００６７】
【図１】本発明を適用した空冷式蒸気復水装置全体の一例を示す構成図。
【図２】本発明による空冷式蒸気復水装置の真空制御方法を説明するための第１の実施形態を示すグラフ。
【図３】同実施形態において、プラント負荷上昇時の処理を示すフローチャート。
【図４】同実施形態において、熱負荷の減少により実真空度が上昇し、実真空度が設定値の上限値を上回っている場合の処理を示すフローチャート。
【図５】本発明による空冷式蒸気復水装置の真空制御方法を説明するための第２の実施形態を示すグラフ。
【図６】同実施形態において、プラント負荷上昇時に実真空度が目標設定値の下限値を下回っているか否かの判定処理を示すフローチャート。
【図７】同実施形態において、プラント負荷減少時に実真空度が目標設定値の上限値を上回っているか否かの判定処理を示すフローチャート。
【図８】本発明による空冷式蒸気復水装置の真空度制御方法を説明するための第３の実施形態を示すフローチャート。
【図９】本発明による空冷式蒸気復水装置の真空制御方法を説明するための第４の実施形態を示すグラフ。
【図１０】従来の空冷式蒸気復水装置全体の一例を示す構成図。
【符号の説明】
【００６８】
１…蒸気発生装置、２…主蒸気管、３…蒸気タービン、４…発電機、５…排気連絡管、６…上部ヘッダー、７…蒸気復水装置管束、８…軸流送風機、９…下部ヘッダー、１０…集合管、１１…復水タンク、１２…復水ポンプ、１３…真空度検出器、１４…増幅器、１５…軸流送風機運転制御装置、１６…真空度設定器。
【図１】
2005139963.tif 000003
【図２】
2005139963.tif 000004
【図３】
2005139963.tif 000005
【図４】
2005139963.tif 000006
【図５】
2005139963.tif 000007
【図６】
2005139963.tif 000008
【図７】
2005139963.tif 000009
【図８】
2005139963.tif 000010
【図９】
2005139963.tif 000011
【図１０】
2005139963.tif 000012